(57)【要約】      （修正有）【課題】ディスプレイパネルの前方と後方に音響を同時に出力するディスプレイ装置を提供する。【解決手段】ディスプレイ装置は、映像を表示するディスプレイパネル１００、ディスプレイパネルの背面を支持する背面カバー３００、ディスプレイパネル１００と背面カバー３００の間に第１音響発生装置２１０、第２音響発生装置２２０、第３音響発生装置２３０、第４音響発生装置２４０及び第５音響発生装置２５０を含む。第１及び第２音響発生装置は、下部領域に配置され、ディスプレイパネルの背面に付着する第１音響発生モジュール及びディスプレイパネルの背面から離隔して配置される第２音響発生モジュールを含む。第３〜第５音響発生装置は、ディスプレイパネルの上部領域に配置され、ディスプレイパネルの背面を直接振動させるアクチュエータである。【選択図】図８
2020048194.tif 000002
【特許請求の範囲】
【請求項１】
映像を表示するディスプレイパネル、
前記ディスプレイパネルの背面に配置された音響発生装置、
前記ディスプレイパネルの背面に配置されて前記ディスプレイパネルを支持する背面カバー、
前記ディスプレイパネルの背面と前記背面カバーの間に配置されて前記ディスプレイパネルを第1領域、第2領域、第3領域、第4領域、及び第5領域に区画するパーティション部材、および
前記ディスプレイパネルの背面に取り付けられて、前記ディスプレイパネルを振動させるように配置される第1音響発生装置、第2音響発生装置、第3音響発生装置、第4音響発生装置、及び第5音響発生装置を含み、
前記第1音響発生装置、前記第2音響発生装置、前記第3音響発生装置、前記第4音響発生装置、及び前記第5音響発生装置が、前記第1領域、前記第2領域、前記第3領域、前記第4領域、及び前記第5領域にそれぞれ配置される、ディスプレイ装置。
【請求項２】
前記音響発生装置が、5.1チャンネル形態の音響出力特性を有する、請求項１に記載のディスプレイ装置。
【請求項３】
前記第1音響発生装置と前記第2音響発生装置が、ハイブリッドエキサイターを含み、
前記第3音響発生装置、前記第4音響発生装置、及び前記第5音響発生装置は、エキサイターを含む、請求項１に記載のディスプレイ装置。
【請求項４】
前記パーティション部材がベント部を含み、前記第1音響発生装置と前記第2音響発生装置は、前記ベント部に垂直方向に整列されている、請求項３に記載のディスプレイ装置。
【請求項５】
前記第1領域と前記第2領域が、前記ディスプレイパネルの下部にあり、前記第3領域、前記第4領域および前記第5領域は、前記第1領域と前記第2領域の上の前記ディスプレイパネルの上部に配置された、請求項３に記載のディスプレイ装置。
【請求項６】
前記第3音響発生装置、前記第4音響発生装置、及び前記第5音響発生装置が、水平方向に整列された、請求項５に記載のディスプレイ装置。
【請求項７】
前記第4音響発生装置と、前記第5音響発生装置が、第1水平方向に整列されていて、前記第3音響発生装置は、前記第1水平方向の基準線から離隔して配置された、請求項５に記載のディスプレイ装置。
【請求項８】
前記第1音響発生装置、前記第2音響発生装置及び前記第3音響発生装置が、前記ディスプレイパネルの下部にあり、前記第4音響発生装置と前記第5音響発生装置は、前記第1音響発生装置、前記第2音響発生装置及び前記第3音響発生装置の上側の前記ディスプレイパネルの上部に配置された、請求項１に記載のディスプレイ装置。
【請求項９】
前記第1音響発生装置と前記第2音響発生装置が、それぞれハイブリッドエキサイターを含み、
前記第3音響発生装置、前記第4音響発生装置、前記第5音響発生装置は、それぞれエキサイターを含む、請求項８に記載のディスプレイ装置。
【請求項１０】
前記背面カバーが、前記第1音響発生装置および前記第2音響発生装置を支持するように構成され、
前記背面カバーが、前記第1音響発生装置および前記第2音響発生装置が実装される第1ホール、及び前記第1音響発生装置および前記第2音響発生装置で発生した背面音を出力するように構成された第2ホールを含む、請求項８に記載のディスプレイ装置。
【請求項１１】
前記第3音響発生装置が、人の声を伝達するエキサイターを含み、前記第4音響発生装置と前記第5音響発生装置は、事物の音を伝達するエキサイターを含む、請求項８に記載のディスプレイ装置。
【請求項１２】
映像を表示するディスプレイパネル、
前記ディスプレイパネルの背面に配置された音響発生装置、
前記ディスプレイパネルの背面に配置されて前記ディスプレイパネルを支持する背面カバー、および
前記ディスプレイパネルの背面と前記背面カバーの間に配置されて前記ディスプレイパネルを第1領域、第2領域、第3領域、第4領域、及び第5領域に区画するパーティション部材を含み、
前記音響発生装置が、
前記ディスプレイパネルの背面に取り付けられた第1音響発生モジュール、
前記ディスプレイパネルの背面から離隔して配置される第2音響発生モジュール、および
前記第1音響発生モジュールと前記第2音響発生モジュールを収容することができるフレームを含む、
ディスプレイ装置。
【請求項１３】
前記フレームを収容するスピーカーボックスをさらに含む、請求項１２に記載のディスプレイ装置。
【請求項１４】
前記スピーカーボックスが、前記第1領域と前記第2領域にある、請求項１３に記載のディスプレイ装置。
【請求項１５】
前記第1領域と前記第2領域を区分する前記パーティション部材が、前記第1音響発生モジュールと前記第2音響発生モジュールに向かって少なくとも一つの面が曲がったベント部を含む、請求項１２に記載のディスプレイ装置。
【請求項１６】
前記第1領域と前記第2領域には、前記第1音響発生モジュールと前記第2音響発生モジュールを収容するフレームがそれぞれ配置されていて、
前記第3領域、前記第4領域、及び前記第5領域に配置された第3音響発生モジュールをさらに含む、請求項１２に記載のディスプレイ装置。
【請求項１７】
前記第1領域と前記第2領域が、前記ディスプレイパネルの下部にあり、前記第3領域、前記第4領域および前記第5領域は、前記第1領域と前記第2領域の上の前記ディスプレイパネルの上部に配置された、請求項１６に記載のディスプレイ装置。
【請求項１８】
前記第1領域、前記第2領域及び前記第3領域が、前記ディスプレイパネルの下部にあり、前記第4領域と前記第5領域は、前記第1領域、前記第2領域、及び前記第3領域の上の前記ディスプレイパネルの上部に配置された、請求項１６に記載のディスプレイ装置。
【請求項１９】
前記第1領域と前記第2領域に配置された前記フレームと前記第3領域に配置された前記第3音響発生モジュールが、同じ水平方向の基準線に沿って整列されている、請求項１８に記載のディスプレイ装置。 
【請求項２０】
前記第1領域と前記第2領域に配置された前記フレームが、水平方向に整列されていて、前記第3領域に配置された前記第3音響発生モジュールは、前記水平方向の基準線から一定距離に離隔して配置された、請求項１８に記載のディスプレイ装置。
【請求項２１】
前記第1音響発生モジュールと前記第2音響発生モジュールが、前記ベント部の端に垂直整列するように配置された、請求項１５に記載のディスプレイ装置。
【請求項２２】
前記背面カバーが、前記音響発生装置を支持するように構成され、
前記背面カバーが、前記音響発生装置が実装される第1ホール、及び前記音響発生装置の前記第2音響発生モジュールで発生した背面音を出力するように構成された第2ホールを含む、 請求項１２に記載のディスプレイ装置。
【発明の詳細な説明】
【技術分野】
【０００１】
本出願は、ディスプレイ装置に関するものである。
【背景技術】
【０００２】
最近、情報化時代になるにつれて電気的情報信号を視覚的に表現するディスプレイ分野が急速に発展し、これに応えて薄型化、軽量化、低消費電力化に優れた性能を有した様々なディスプレイ装置が開発されている。このようなディスプレイ装置の例としては、液晶ディスプレイ装置、電界放出ディスプレイ装置、有機発光ディスプレイ装置などを挙げることができる。
【０００３】
一般的に、ディスプレイ装置は、ディスプレイパネル上にすべての画像を表示するが、音響を提供するためには、別途のスピーカーを設置しなければならない。ディスプレイ装置にスピーカーを設置する場合、スピーカーを介して発生した音の進行方向は、画像が表示されるディスプレイパネルの前面または背面ではなく、ディスプレイパネルの側端または上下端になり、ディスプレイパネルの前面で画像を視聴する視聴者の方向に音が進行していないので、画像を見ている視聴者の没入を妨げるという問題がある。
【０００４】
そして、TVなどのセット装置に含まれるスピーカーを構成する場合、スピーカーが一定の空間を占めるようになるので、セット装置のデザインおよび空間配置に制約が伴うという問題が発生する。このような問題を解決するために、ディスプレイパネルの振動によって、ディスプレイパネルの前方に音響を出力することができるディスプレイ装置が存在するが、低音域帯音響の出力が難しいという問題を有している。例えば、ディスプレイパネルを振動させて低音域帯の音響を出力する場合、ディスプレイパネルのブレ（振動）がひどくて映像が揺れるという問題が発生する。そして、低音域帯音響を出力させる振動発生装置は、発熱量が多く、ディスプレイパネルの寿命に悪影響を与え得る。これを解決するために、低音域帯音響を出力する過程で、ディスプレイパネルのブレを防止し、熱伝達を防止することができるディスプレイ装置の開発が必要な実情である。
【発明の概要】
【０００５】
本出願は、ディスプレイパネルの前方と後方に音響を同時に出力することができるディスプレイ装置を提供することを技術的課題とする。
【０００６】
また、本出願は、広い低音再生帯域と高い音圧の音響を出力することができるディスプレイ装置を提供することを技術的課題とする。
【０００７】
本出願による解決すべき課題は、以上で言及した課題に限定されず、言及していない他の課題は、下の記載から、通常の技術者に明確に理解され得るだろう。
【０００８】
本発明の実施例に係るディスプレイ装置は、映像を表示するディスプレイパネル、ディスプレイパネルの背面に配置された音響発生装置、およびディスプレイパネルの背面に配置されてディスプレイパネルを支持する背面カバーを含み、音響発生装置は、ディスプレイパネルの背面に付着する第1音響発生モジュール、およびディスプレイパネルの背面から離隔して配置される第2音響発生モジュールを含むことができる。
【０００９】
本発明の他の実施例に係るディスプレイ装置は、映像を表示するディスプレイパネル、ディスプレイパネルを下部右側領域、下部左側領域、上部中央領域、上部右側領域および上部左側領域に区画するパーティション部材、および下部右側領域、下部左側領域、上部中央領域、上部右側領域および上部左側領域のそれぞれに配置される第1音響発生装置、第2音響発生装置、第3音響発生装置、第4音響発生装置、第5音響発生装置を含み、第1音響発生装置および第2音響発生装置は、ディスプレイパネルの背面に付着する第1音響発生モジュール、およびディスプレイパネルの背面から離隔して配置される第2音響発生モジュールを含み、第3音響発生装置、第4音響発生装置および第5音響発生装置は、ディスプレイパネルを直接振動させるアクチュエータであり得る。
【００１０】
その他の実施例の具体的な事項は、詳細な説明及び図に含まれている。
【００１１】
本出願によるディスプレイ装置は、方向性（指向性）が強い中音域（400Hz以上）から高音（20kHz以下）は、音の進行方向がディスプレイパネルの前面になるように音響を発生させることができ、方向性（指向性）が弱い低音（200Hz以下）は、ディスプレイパネルの背面に音響を発生させることができる。したがって、ディスプレイ装置の映像と音響の発生位置を一致させ、ディスプレイ装置の映像を視聴する視聴者の没入感を向上させることができる。
【００１２】
また、本出願によるディスプレイ装置は、別途にスピーカーを構成しなくてもよいので、スピーカーの配置に対する自由度を向上させ、セット機器のデザイン美感を向上させることができる。
【図面の簡単な説明】
【００１３】
【図１】本出願の一例によるディスプレイ装置の斜視図である。
【図２】本出願の一例によるディスプレイ装置の音響出力を示す図である。
【図３】本出願の一例によるディスプレイ装置の断面図である。
【図４】音響発生装置の他の例を説明するための断面図である。
【図５】音響発生装置の他の例を説明するための断面図である。
【図６ａ】音響発生装置の詳細断面図、前面図、側面図および背面図を示す。
【図６ｂ】音響発生装置の詳細断面図、前面図、側面図および背面図を示す。
【図６ｃ】音響発生装置の詳細断面図、前面図、側面図および背面図を示す。
【図６ｄ】音響発生装置の詳細断面図、前面図、側面図および背面図を示す。
【図７ａ】音響発生装置の実施例に係る平面図と側面図および背面図である。
【図７ｂ】音響発生装置の実施例に係る平面図と側面図および背面図である。
【図８】本出願の他の例に係るディスプレイ装置の斜視図である。
【図９】本出願の他の例に係るディスプレイ装置の音響出力を示す図である。
【図１０ａ】本明細書のディスプレイ装置において、音響発生装置とパーティション部材の他の例を示す図である。
【図１０ｂ】本明細書のディスプレイ装置において、音響発生装置とパーティション部材の他の例を示す図である。
【図１０ｃ】本明細書のディスプレイ装置において、音響発生装置とパーティション部材の他の例を示す図である。
【図１０ｄ】本明細書のディスプレイ装置において、音響発生装置とパーティション部材の他の例を示す図である。
【図１０ｅ】本明細書のディスプレイ装置において、音響発生装置とパーティション部材の他の例を示す図である。
【図１０ｆ】本明細書のディスプレイ装置において、音響発生装置とパーティション部材の他の例を示す図である。
【図１０ｇ】本明細書のディスプレイ装置において、音響発生装置とパーティション部材の他の例を示す図である。
【図１１】本出願の他の例に係るディスプレイ装置の斜視図である。
【図１２】本出願の他の例に係るディスプレイ装置の音響出力を示す図である。
【図１３ａ】本明細書のディスプレイ装置において、音響発生装置とパーティションの他の例を示す図である。
【図１３ｂ】本明細書のディスプレイ装置において、音響発生装置とパーティションの他の例を示す図である。
【図１３ｃ】本明細書のディスプレイ装置において、音響発生装置とパーティションの他の例を示す図である。
【図１３ｄ】本明細書のディスプレイ装置において、音響発生装置とパーティションの他の例を示す図である。
【図１３ｅ】本明細書のディスプレイ装置において、音響発生装置とパーティションの他の例を示す図である。
【図１３ｆ】本明細書のディスプレイ装置において、音響発生装置とパーティションの他の例を示す図である。
【図１３ｇ】本明細書のディスプレイ装置において、音響発生装置とパーティションの他の例を示す図である。
【図１３ｈ】本明細書のディスプレイ装置において、音響発生装置とパーティションの他の例を示す図である。
【図１３ｉ】本明細書のディスプレイ装置において、音響発生装置とパーティションの他の例を示す図である。
【図１４ａ】図10aの切断線I-I’に沿って切断した断面図である。
【図１４ｂ】図13aの切断線II-II’に沿って切断した断面図である。
【図１５ａ】音響発生装置の一例を説明するための断面図である。
【図１５ｂ】音響発生装置の一例を説明するための断面図である。
【図１６ａ】本出願の他の例に係るディスプレイ装置の背面斜視図である。
【図１６ｂ】本出願の他の例に係るディスプレイ装置の背面斜視図である。
【図１７】本出願の一例によるディスプレイ装置の音圧特性を示したグラフである。
【発明を実施するための形態】
【００１４】
本発明の利点および特徴、そしてそれらを達成する方法は添付の図と共に詳細に後述されている実施例を参照すると明確になるだろう。しかし、本発明は、以下で開示される例に限定されるものではなく、異なる多様な形態で具現されるものであり、実施例は単に、本発明の開示を完全にし、本発明が属する技術分野で通常の知識を有する者に発明の内容を完全に理解させるために提供されるものであり、本発明は、特許請求の範囲によってのみ定義される。
【００１５】
本発明の実施例を説明するための図に開示した形状、大きさ、比率、角度、数などは例示的なものなので、本発明は、図に示した事項に限定されるものではない。明細書全体にわたって同一参照符号は同一の構成要素を指す。また、本発明を説明するにおいて、関連する公知技術に対する詳細な説明が本発明の要旨を不必要に曖昧にすると判断された場合、その詳細な説明は省略する。本明細書で言及した「含む」、「有する」、「備える」などが使用されている場合は、「〜だけ」が使用されていない限り、他の部分が追加され得る。構成要素を単数で表現した場合に特に明示的な記載事項がない限り、複数が含まれる場合を含む。
【００１６】
構成要素を解釈するに当たり、別途の明示的な記載がなくても誤差の範囲を含むものと解釈する。
【００１７】
位置関係の説明である場合、例えば、「〜の上に」、「〜の上部に」、「〜の下部に」、「〜の隣に」など2つの部分の位置関係が説明されている場合は、「すぐに」または「直接」が使用されていない限り、二つの部分の間に一つ以上の他の部分が位置することもできる。
【００１８】
時間の関係について説明である場合、例えば、「〜の後」、「〜に続いて」、「〜次の」、「〜前」などで時間的前後関係が説明されている場合は、「すぐに」または「直接」が使用されていない限り、連続していない場合も含むことができる。
【００１９】
第1、第2などが多様な構成要素を記述するために使用されるが、これらの構成要素はこれらの用語によって特定の序列を有するものとして限定されない。これらの用語は、単に一つの構成要素を他の構成要素と区別するために使用されるものである。したがって、以下に記載されている第1構成要素は、本発明の技術的思想内で第2構成要素であることもある。
【００２０】
「少なくとも一つ」の用語は、複数の関連項目から提示可能なすべての組み合わせを含むものと理解されなければならない。例えば、「第1項目、第2項目及び第3項目のうち少なくとも一つ」の意味は、第1項目、第2項目または第3項目のそれぞれだけでなく、第1項目、第2項目及び第3項目のうち2つ以上から提示することができるすべての項目の組み合わせを意味することができる。
【００２１】
本出願のいくつかの例のそれぞれの特徴が部分的または全体的に互いに結合または組み合わせ可能で、技術的に様々な連動と駆動が可能であり、それぞれの例が互いに独立して実施可能であり得、関連の関係で一緒に実施することもできる。
【００２２】
本明細書の構成要素を説明するにあたって、第1、第2、A、B、（a）、（b）などの用語を使用することがある。このような用語は、その構成要素を他の構成要素と区別するためのもので、その用語によって、その構成要素の本質、順序、順番または個数などが限定されない。ある構成要素が他の構成要素に「連結」、「結合」または「接続」と記載さた場合、その構成要素は、その他の構成要素に直接連結するか、または接続することができるが、各構成要素間に他の構成要素が「介在」するか、各構成要素が他の構成要素を介して、「連結」、「結合」または「接続」することもあると理解されなければならない。
【００２３】
本明細書で「ディスプレイ装置」は、表示パネルと表示パネルを駆動するための駆動部を含む液晶モジュール（Liquid Crystal Module; LCM）、有機LEDモジュール（OLED Module）、量子ドットモジュール（Quantum Dot Module）などの狭義のディスプレイ装置を含むことができる。そして、LCM、OLEDモジュール、QDモジュールなどを含む完成品（complete productまたはfinal product）であるラップトップコンピュータ、テレビ、コンピュータモニタ、自動車用ディスプレイ、または車両用の他の形態などを含む機器ディスプレイ、スマートフォンや電子パッドなどのモバイル電子機器などのセット電子装置（set electronic device）、またはセット機器（set deviceまたはset apparatus）も含むことができる。
【００２４】
したがって、本明細書でのディスプレイ装置は、LCM、OLEDモジュール、QDモジュールなど狭義のディスプレイ装置自体、およびLCM、OLEDモジュール、QDモジュールなどを含む応用製品または最終消費者装置であるセット装置までを含むことができる。
【００２５】
そして、場合によっては、ディスプレイパネルと駆動部などで構成されるLCM、OLEDモジュール、QDモジュールを狭義の「ディスプレイ装置」と表現し、LCM、OLEDモジュール、QDモジュールを含む完成品としての電子機器を「セット装置」として区別して表現することもできる。例えば、狭義のディスプレイ装置は、液晶（LCD）、有機LED（OLED）または量子ドット（Quantum Dot）の表示パネルと、表示パネルを駆動するための制御部であるソースPCBを含み、セット装置は、ソースPCBに電気的に接続してセット装置全体を制御するセット制御部であるセットPCBをさらに含む概念であり得る。
【００２６】
本実施例に使用されるディスプレイパネルは、液晶ディスプレイパネル、有機LED（OLED：Organic Light Emitting Diode）ディスプレイパネル、量子ドット（QD：Quantum Dot）ディスプレイパネルおよび電界発光ディスプレイパネルなどのすべての形態のディスプレイパネルを使用することができ、本実施例の有機LED（OLED）ディスプレイパネル用フレキシブル基板と下部の背面プレートの支持構造においてベゼルベンディングすることができる特定のディスプレイパネルに限定されるものではない。また、本明細書の実施例に係るディスプレイ装置に使用されるディスプレイパネルは、ディスプレイパネルの形態や大きさが限定されない。
【００２７】
以下では、本出願によるディスプレイ装置の例を添付の図を参照して詳細に説明する。
【００２８】
図1は、本出願の一例によるディスプレイ装置の斜視図である。映像を表示するディスプレイパネル１００、ディスプレイパネルの背面に配置された音響発生装置２１０、およびディスプレイパネルの背面に配置されてディスプレイパネルを支持する背面カバー３００を含み、音響発生装置２１０は、ディスプレイパネルの背面に付着する第1音響発生モジュール、およびディスプレイパネルの背面から離隔して配置される第2音響発生モジュールを含む。
【００２９】
ディスプレイパネル１００は、映像を表示するもので、液晶ディスプレイパネル、有機LED（OLED：Organic Light Emitting Diode）ディスプレイパネル、および電界発光ディスプレイパネル（Electroluminescent Display Panel）などのすべての形態のディスプレイパネルで具現することができる。ディスプレイパネル１００は、音響発生装置の振動によって振動して音響を出力することができる。
【００３０】
一例によると、ディスプレイパネル１００は、アノード電極、カソード電極および有機化合物層を含むピクセルアレイ層の構造によって、トップエミッション（Top Emission）方式、ボトムエミッション（Bottom Emission）方式、またはデュアルエミッション（Dual Emission）方式などの形態で画像を表示することができる。トップエミッション方式は、ピクセルアレイ層で発生した可視光をベース基板の前方に放出させて映像を表示することができ、ボトムエミッション方式は、ピクセルアレイ層で発生した可視光をベース基板の後方に放出させて映像を表示することができる。
【００３１】
背面カバー３００は、ディスプレイパネル１００の背面に配置してディスプレイパネル１００を支持することができる。例えば、背面カバー３００は、ディスプレイパネル１００と離隔するように配置し、背面カバー３００に配置される音響発生装置を支持することができる。
【００３２】
背面カバー３００は、ディスプレイパネル１００の背面全体を離隔するように覆うもので、ガラス材質、金属材質、またはプラスチック材質からなる平板形態を有することができる。ここでは、背面カバー３００の端または鋭い角部分は、面取り工程または角丸め工程によって斜面形態または曲面形態を有することができる。一例によると、ガラス製の背面カバー３００は、サファイアガラスであり得る。例えば、金属材質の背面カバー３００は、アルミニウム、アルミニウム合金、マグネシウム合金、および鉄とニッケルの合金のいずれかの材質からなることができる。別の例では、背面カバー３００は、金属プレートおよびガラス板より相対的に薄い厚さを有しながらディスプレイパネル１００の背面と向き合うグラスプレートの積層構造を有することができ、この場合、ディスプレイ装置１０の背面は、金属板によって鏡面として使用することもできる。
【００３３】
図2は、本出願の一例によるディスプレイ装置の音響出力を示す図である。第1音響発生モジュールは、ディスプレイパネル１００の背面に接触することで、ディスプレイパネル１００を直接振動させることができる。したがって、第1音響発生モジュールを含む音響発生装置は、ディスプレイパネル１００を音響発生装置の振動板として使用して、ディスプレイパネル１００の後方（RD）と下方ではなく、前方（FD）に音響を出力することにより、ディスプレイ装置１０の映像と音響の発生位置を一致させ、ディスプレイ装置１０の映像を視聴する視聴者の没入感を向上させることができる。第1音響発生モジュールは、高音域帯の音響（HFS）を発生させることができる。
【００３４】
第1音響発生モジュールは、フレミングの左手法則に基づいて印加される音響発生用の電流によってディスプレイパネル１００を振動させて音響を出力することができる。一例によると、第1音響発生モジュールは、第1マグネット２１１a、第1プレート２１２a、第1エキサイター２１３a、ボビンリング２１４a、及び第1ダンパー２１５aを含むことができる。エキサイターは、アクチュエータと呼ぶことができる。
【００３５】
第2音響発生モジュールは、ディスプレイパネルの背面から離隔して配置することができ、ディスプレイパネルおよび音響発生装置の空気層を振動板を介して振動させて音響を発生させることができ、音響を振動板の前方（FD）および後方（RD）に出力することができる。第2音響発生モジュールは、低音域帯の音響（LFS）を発生させることができる。一例によると、第2音響発生モジュールは、ウーファー（Woofer）に該当し得、用語に限定されない。
【００３６】
図3は、本出願の一例によるディスプレイ装置の断面図である。背面カバー３００は、音響発生装置が装着され得る第1ホール３１０及び第2音響発生モジュールで発生した背面音を排出することができる第2ホール３２０を含むことができる。
【００３７】
背面カバー３００の第1ホール３１０は、音響発生装置を装着することができる。背面カバーの第2ホール３２０は、音響発生装置の内部で発生した音響を排出させることができる。例えば、第1ホール３１０は、音響発生装置を挿入するために、背面カバー３００の厚さ方向に沿って背面カバー３００に設定された一部領域に円形または多角形を有するように穿孔することができる。したがって、音響発生装置は、第1ホール３１０を貫通して、ディスプレイパネル１００の背面に配置することができる。
【００３８】
一例によると、背面カバーの第2ホール３２０は、音響発生装置の内部、より詳細には、第2音響発生モジュールの振動板２１４bで発生した音響を排出することができる。第2音響発生モジュールの振動板２１４bは、振動によって振動板の周辺部の空気層を振動させて音響を発生させることができ、例えば、低音域帯の音響を出力することができる。第2音響発生モジュールの振動板２１４bによって発生した音響は、振動板２１４bの上部側に伝播される第1低音および振動板２１４bの下部側に伝播される第2低音に区分することができる。ここで、振動板２１４bの上部側に伝播される第1低音はディスプレイパネル１００と背面カバー３００の間のエアギャップを介して伝播され得、背面カバー３００の第2ホール３２０を介して排出され得る。第2ホール３２０は、低音特性の向上のために様々な形状やサイズで提供され得る。
【００３９】
音響発生装置２１０は、ディスプレイパネルの背面に付着される第1音響発生モジュール、およびディスプレイパネルの背面から離隔して配置される第2音響発生モジュールを含むことができる。音響発生装置２１０は、円形、長円形、または一対の音響発生装置を含むことができる。長円形（oval shape）は、楕円形（elliptical shape）、先端が丸い長方形、または幅が高さと異なる非円形の曲線型を含むことができ、実施例がこれに限定されない。長円形の音響発生装置は、円形よりも高音域帯の音響を改善することができ、振動による熱の発生が少ないので、優れた放熱特性を有することができる。
【００４０】
図4〜図5は、音響発生装置の一例を説明するための断面図である。
【００４１】
図4〜図5を参照すると、本出願の一例によるディスプレイ装置は、音響発生装置の背面に配置され、音響発生装置から発生する音響を増幅することができる少なくとも一つのスピーカーボックス４００をさらに含むことができる。スピーカーボックス４００の内部空間は、側面フレーム２１６bに形成されたホール２１７と連通し、例えば、第2音響発生モジュールで発生した低音域帯の音響を増幅することができる。スピーカーボックスは、0.1〜1リットルの空気が収容されるように提供することができ、これに限定されるものではない。
【００４２】
一例によると、スピーカーボックス４００は、音響発生装置の背面に配置され、音響発生装置の後段部を覆うように配置することができる。別の例によると、スピーカーボックスは、音響発生装置の後段部を覆いながら、一側に非対称的に延長された形態で提供することができる。スピーカーボックス４００を背面カバー３００に固定させるために音響発生装置と隣接する領域に固定するための溝部４２０および溝部４２０に固定装置が収容されるようにすることができる。スピーカーボックス４００に配置された溝部４２０および固定装置の使用により、スピーカーボックス４００を背面カバー３００に堅固に固定することができ、必要によって溝部４２０に結合された固定装置を除去して音響発生装置を背面カバー３００から脱着して音響発生装置およびスピーカーボックス４００を除去、および交換することができる。背面カバー３００に固定されるナット４３０をさらに含んでいて、溝部４２０は、固定装置として挿入するねじによってナット４３０に固定することができる。したがって、ナット４３０の内面には、ネジ貫通孔が形成されているので、溝部４２０をナット４３０のネジ貫通孔と整列した後、固定装置を締めることにより、音響発生装置を背面カバー３００に固定することができる。固定のためのナット４３０は、音響発生装置とディスプレイパネル１００の間の距離を調節する機能をすることができる。第1音響発生モジュールのボビンリング２１４aがディスプレイパネル１００との接触をよく維持することが、ディスプレイパネル１００を直接振動させることにより前方（FD）に音響を出力することができる重要な因子になり得る。ここで、ボビンリング２１４aと、ディスプレイパネル１００間の距離が長すぎると音が正常に発生せず、一方、ボビンリング２１４aと、ディスプレイパネル１００間の距離が短かすぎると、第1音響発生モジュールの第1ダンパー２１５aが破損し得る。これにより、音響発生装置の大きさとそれに伴うディスプレイパネル１００と音響発生装置の距離調節をナット４３０の高さを異ならせて調節することができる。固定装置は、スクリューなどを使用することができるが、これに限定されない。
【００４３】
図6a〜図6dは、音響発生装置の詳細断面図、前面図、側面図、および背面図を例示している。第2音響発生モジュールは、フレミングの左手法則に基づいて印加される音響発生用電流によって振動板を振動させることができる。一例によると、第2音響発生モジュールは、第2マグネット２１１b、第2プレート２１２b、第2エキサイター２１３b、振動板２１４b、及び第2ダンパー２１５bを含むことができる。
【００４４】
また、音響発生装置は、第1音響発生モジュール及び第2音響発生モジュールを収容することができるフレームをさらに含み、一例によると、フレームは、音響発生装置の外周面を定義することができ、第1音響発生モジュール及び第2音響発生モジュールを収容することができる。
【００４５】
フレームは、第1音響発生モジュール及び第2音響発生モジュールの下端部を支持する下部フレーム２１６a、下部フレームと結合して少なくとも一つのホール２１７を含む側面フレーム２１６b、および側面フレームと結合して第1音響発生モジュール及び第2音響発生モジュールの上部をカバーする上部フレーム２１６cを含むことができる。
【００４６】
第1マグネット２１１aは、下部フレーム２１６a上に配置することができる。例えば、第1マグネット２１１aは、第1プレート２１２a及び下部フレーム２１６aの間に介在することができる。下部フレーム２１６a及び第1プレート２１２aは、第1マグネット２１１aで生成される磁束を制御することができる。したがって、第1マグネット２１１aは、下部フレーム２１６a及び第1プレート２１２aによって囲まれることにより、第1マグネット２１１aで発生する磁束が第1エキサイター２１３a内に集中して漏洩磁束が抑制され得る。
【００４７】
第1プレート２１２aは、第1マグネット２１１aの上端に配置され、ボビンリング２１４aと離隔することができる。第1マグネット２１１a及び第1プレート２１２aは、円筒形態を有する第1エキサイター２１３aの内部に挿入されることによって、第1マグネット２１１a及び第1プレート２１２aの外周面は、第1エキサイター２１３aによって囲まれ得る。したがって、第1マグネット２１１a及び第1プレート２１２aは、第1エキサイター２１３aの直線往復運動をガイドすることができる。ここで、第1プレート２１２aは、センターポール（Center Pole）またはポールピース（Pole Pieces）などで表現することができる。一例によると、第1プレート２１２aは、鉄（Fe）のように磁性を有する物質からなることによって、第1マグネット２１１aを介して形成される磁束密度を増加させることができる。
【００４８】
第1エキサイター２１３aは、第1プレート２１２aを囲んでボビンリング２１４aの背面に付着することができる。例えば、第1エキサイター２１３aは、第1マグネット２１１a及び第1プレート２１２aを囲むことができる。例えば、第1エキサイター２１３aは、その外周面に巻かれたコイルに音響発生用の電流が印加され、第1音響発生モジュール内に磁場が形成されると、磁場によってボビンリング２１４aを介してディスプレイパネル１００を振動させることができる。したがって、第1エキサイター２１３aの前面は、ボビンリング２１４aに接触し、第1エキサイター２１３aは、電流の印加および非印加状態によって、ボビンリング２１４aを介してディスプレイパネル１００を振動させることができる。また、ディスプレイパネル１００は、ボビンリング２１４aの振動の伝達を受けて中高周波領域の音響（HFS）を発生させ、高音域帯の音響（HFS）がディスプレイパネル１００の前方（FD）に出力され得る。ここで、第1エキサイター２１３aは、磁束が通過することができず、かつ熱伝導率が低い材料からなり得る。例えば、第1エキサイター２１３aは、パルプまたは紙を加工した材質、アルミニウムやマグネシウムまたはその合金、ポリプロピレンなどの合成樹脂、またはポリアミド系繊維などで形成された円筒構造物であり得る。
【００４９】
また、第1エキサイター２１３aは、第1エキサイターの外周面に巻かれたコイルをさらに含むことができ、コイルを介して音響発生用の電流を供給することができる。ここで、コイルは、ボイスコイルなどで表現することができる。コイルに音響発生用の電流が印加されると、第1エキサイター２１３aは、コイルの周囲に形成される印加磁場と第1マグネット２１１aの周囲に形成される外部磁界に基づいフレミングの左手法則によって、第1ダンパー２１５aによってガイドされながら振動することができる。例えば、磁場によって発生した磁束は、コイル、下部フレーム２１６a、第1マグネット２１１a、第1プレート２１２a、そして再びコイルに接続する閉ループに沿って流れることができる。したがって、第1エキサイター２１３aは、第1ダンパー２１５aによってガイドされながら振動して、ディスプレイパネル１００に振動を伝達することができる。
【００５０】
ボビンリング２１４aは、第1エキサイター２１３aおよびディスプレイパネル１００の間に介在して、第1エキサイター２１３aの振動をディスプレイパネル１００に伝達することができる。そして、ボビンリング２１４aは、第1エキサイター２１３aをディスプレイパネル１００の背面に接着させることができる。例えば、ボビンリング２１４aは、両面テープ（Double-sided Tape）で具現することができ、これに限定されるものではない。そして、ボビンリング２１４aは、第1エキサイター２１３aで発生する熱がディスプレイパネル１００に伝達されないように遮断しながら、第1エキサイター２１３aの振動をディスプレイパネル１００に効率的に伝達することができる。
【００５１】
第1ダンパー２１５aは、第1エキサイター２１３a及び第2プレート２１２bの間に配置され、第1エキサイター２１３aおよびボビンリング２１４aの振動をガイドすることができる。第1ダンパー２１５aは、その一端と他端の間が蛇腹構造を含み、ボビンリング２１４aの振動によって収縮および弛緩しながらボビンリング２１４aの振動を調節およびガイドすることができる。したがって、第1ダンパー２１５aは、第1エキサイター２１３a及び第2プレート２１２bの間に接続することによって復元力を介してボビンリング２１４aの振動距離を制限することができる。例えば、ボビンリング２１４aが一定の距離以上に振動したり、一定の距離以下に振動する場合、第1ダンパー２１５aの復元力によりボビンリング２１４aは、元の位置に原状復帰することができる。そして、第1ダンパー２１５aは、スパイダー（Spider）、サスペンション（Suspension）、またはエッジ（Edge）などの他の用語で表現することができる。
【００５２】
一例によると、第1音響発生モジュールは、アクチュエータ、トランスデューサ、またはエキサイターであり得るが、これに限定されず、電気的信号によって音響を出力する任意の音響機器であり得る。
【００５３】
第2マグネット２１１b は、下部フレーム２１６a上に配置され得る。例えば、第2マグネット２１１b は、第2プレート２１２b 及び下部フレーム２１６aの間に介在することができる。下部フレーム２１６a及び第2プレート２１２b は、第2マグネット２１１b で生成される磁束を制御することができる。したがって、第2マグネット２１１bは、下部フレーム２１６a及び第2プレート２１２b によって囲まれることによって、第2マグネット２１１b で発生する磁束が第2エキサイター２１３b内に集中して漏洩磁束が抑制され得る。
【００５４】
一例によると、第2マグネットは、中空部を含む環状形状であり得、第2マグネットの中空部には、第1音響発生モジュールの第1プレートが離隔するように配置され得る。
【００５５】
第2プレート２１２bは、第2マグネット２１１bの上端に配置され、振動板２１４bと離隔することができる。第2マグネット２１１b及び第2プレート２１２bは、円筒形を有する第2エキサイター２１３bの内部に挿入することによって、第2マグネット２１１b及び第2プレート２１２bの外周面は、第2エキサイター２１３bによって囲まれ得る。したがって、第2マグネット２１１b及び第2プレート２１２bは、第2エキサイター２１３bの直線往復運動をガイドすることができる。ここで、第2プレート２１２bは、センターポール（Center Pole）またはポールピース（Pole Pieces）などで表現することができる。一例によると、第2プレート２１２bは、鉄（Fe）のように磁性を有する物質で構成することで、第2マグネット２１１bを介して形成される磁束密度を増加させることができる。
【００５６】
一例によると、第2プレートは、中空部を含む環状形状であり得、第2プレートの中空部には、第1音響発生モジュールの第1プレートが離隔するように配置され得る。
【００５７】
第2エキサイター２１３bは、第2プレート２１２bを囲み振動板２１４bの背面に付着することができる。例えば、第2エキサイター２１３bは、第2マグネット２１１b及び第2プレート２１２bを囲むことができる。例えば、第2エキサイター２１３bは、その外周面に巻かれたコイルに音響発生用の電流が印加され、第2音響発生モジュール内に磁場が形成されると、磁場によって振動板２１４bを介して振動板周辺部の空気層またはエアギャップを振動させて音響を出力することができる。したがって、第2エキサイター２１３bの前面は、振動板２１４bに接触しているため、第2エキサイター２１３bは、電流の印加および非印加の状態によって、振動板２１４bを振動させることができる。ここで、第2エキサイター２１３bは、磁束が通過することができ、かつ熱伝導率が低い材料からなり得る。例えば、第2エキサイター２１３bは、パルプや紙を加工した材質、アルミニウムやマグネシウムまたはその合金、ポリプロピレンなどの合成樹脂、またはポリアミド系繊維などで形成された円筒構造物であり得る。
【００５８】
一例によると、第2エキサイター２１３bは、中空部を含む円筒形状であり得、第2エキサイター２１３bの中空部には、第1音響発生モジュールの第1エキサイター２１３aが離隔するように配置され得る。
【００５９】
また、第2エキサイター２１３bは、第2エキサイターの外周面に巻かれたコイルをさらに含むことができ、コイルを介して音響発生用の電流の供給を受けることができる。ここで、コイルは、ボイスコイルなどで表現され得る。コイルに音響発生用の電流が印加されると、第2エキサイター２１３bは、コイルの周囲に形成される印加磁場と第2マグネット２１１bの周囲に形成される外部磁界に基づくフレミングの左手法則によって、第2ダンパー２１５bによってガイドされながら振動することができる。例えば、磁場によって発生した磁束は、コイル、下部フレーム２１６a、第2マグネット２１１b、第2プレート２１２b、そして再びコイルに接続する閉ループに沿って流れることができる。したがって、第2エキサイター２１３bは、第2ダンパー２１５bによってガイドされながら振動して、ディスプレイパネル１００に振動を伝達することができる。
【００６０】
振動板２１４bは、ディスプレイパネル１００の背面から離隔し、並んで配置され得るが、これに限定されるものではなく円錐形状など様々な形状で提供され得る。振動板２１４bは、第2エキサイター２１３bの振動を第1エアギャップ及び第2エアギャップを介してディスプレイパネル１００の後方に出力することができる。振動板２１４bは、ディスプレイパネル１００の背面から離隔することによって、ボビンで発生する熱がディスプレイパネル１００に伝達されないように遮断することができる。
【００６１】
一例によると、第2音響発生モジュールの振動板２１４bの振動は、ディスプレイパネルの背面に位置する第1エアギャップ（AG1）および音響発生装置内の第2エアギャップ（AG2）を振動させて低音域帯の音響（LFS）を発生させ、第1エアギャップで発生した音響は、第2ホール３２０を介してディスプレイパネルの後方（RD）に排出され得、第2エアギャップで発生した音響は、下部フレームのホール２１７を介してディスプレイパネルの後方（RD）に排出され得る。
【００６２】
一例によると、振動板２１４bは、中心部に中空部を含む形状で提供され得、振動板２１４bの中空部には、第1音響発生モジュールのボビンリング２１４aが離隔するように配置され得る。
【００６３】
第2ダンパー２１５bは、第2エキサイター２１３bおよび側面フレーム２１６bの間に配置されて第2エキサイター２１３bおよび振動板２１４bの振動をガイドすることができる。第2ダンパー２１５bは、その一端と他端の間に蛇腹構造を含み、振動板２１４bの振動によって収縮および弛緩しながら振動板２１４bの振動を調節およびガイドすることができる。したがって、第2ダンパー２１５bは、第2エキサイター２１３bおよび側面フレーム２１６bの間に接続することによって復元力を介して振動板２１４bの振動距離を制限することができる。例えば、振動板２１４bが一定の距離以上に振動したり、一定の距離以下に振動する場合、第2ダンパー２１５bの復元力により振動板２１４bは、元の位置に原状復帰することができる。そして、第2ダンパー２１５bは、スパイダー（Spider）、サスペンション（Suspension）、またはエッジ（Edge）などの他の用語で表現することができる。
【００６４】
一例によると、第2音響発生モジュールは、中空部を含み、中空部に第1音響発生モジュールが配置され得る。
【００６５】
第2音響発生モジュールは、垂直方向に中心軸を貫通する中空部を含むことができる。第1音響発生モジュールは、第2音響発生モジュールの中空部に配置され得、これを介して、第1音響発生モジュール及び第2音響発生モジュールは、単一のボディに結合された形態で提供され得る。第2音響発生モジュールの中空部は、第2音響発生モジュールの第2マグネット２１１b、第2プレート２１２b、第2エキサイター２１３b、振動板２１４b、及び第2ダンパー２１５bのうちの少なくとも一つに形成され得る。
【００６６】
一例によると、第1音響発生モジュールの第1マグネット及び第2音響発生モジュールの第2マグネットは、互いに反対方向の磁界を有することができる。
【００６７】
第1音響発生モジュールは、パネルを直接振動させて高音域帯の音響をディスプレイパネルの前方（FD）に出力することができ、第2音響発生モジュールは、第1エアギャップ及び第2エアギャップを振動させて低音域帯の音響をディスプレイパネルの後方（RD）に出力することができ、これにより、第1音響発生モジュール及び第2音響発生モジュールは、互いに逆方向の磁界を有することにより、第1音響発生モジュール及び第2音響発生モジュールの振動を独立して制御することができる。
【００６８】
下部フレーム２１６aは、第1音響発生モジュールの第1マグネット２１１a及び第2音響発生モジュールの第2マグネット２１１bを支持することができる。下部フレーム２１６aは、第1プレート２１２a及び第2プレート２１２bと一緒に第1マグネット２１１a及び第2マグネット２１１bを介して形成される磁束を制御して、第1エキサイター２１３a及び第2エキサイター２１３bに流れる磁束密度を増加させることができる。したがって、下部フレーム２１６a及び第1プレート２１２a及び第2プレート２１２bのそれぞれは、第1マグネット２１１a及び第2マグネット２１１bの下端および上端のそれぞれに配置され、第1マグネット２１１a及び第2マグネット２１１bとコイルを介して形成される磁束密度を増加させて振動特性を向上させることができる。下部フレーム２１６aは、その用語に限定されるものではなく、ヨーク（Yoke）などの他の用語で表現することができる。
【００６９】
側面フレーム２１６bは、下部フレーム２１６aと結合され、音響排出のための少なくとも一つのホール２１７を含むことができる。側面フレーム２１６bは、背面カバー３００とペムナットのような締結手段を介して締結されるように、締付構造を含むことができる。
【００７０】
一例によると、側面フレーム２１６bに形成されたホールは、音響発生装置の内部に存在するエアギャップで第2音響発生モジュールの振動板によって発生した低音域帯の音響（LFS）をディスプレイパネル１００の後方（RD）に出力することができる。また、一例によると、側面フレーム２１６bは、導電性物質で具現され、第2マグネット２１１bで生成される磁束を制御することができる。例えば、側面フレーム２１６bは、第2マグネット２１１bを離隔するように囲むことにより、磁気部材から発生する磁束を第2エキサイター２１３b内に集中させ、漏洩磁束を抑制することができる。側面フレーム２１６bは、その用語に限定されるものではなく、ヨーク（Yoke）などの他の用語で表現することができる。
【００７１】
上部フレーム２１６cは、第1音響発生モジュール及び第2音響発生モジュールの上部を覆うことができる。また、第1音響発生モジュールは、ディスプレイパネルの背面に付着する構造であって、上部フレーム２１６cは、中心に開口部を含むように形成することができる。
【００７２】
第2音響発生モジュールは、第1音響発生モジュールよりも低音域帯の音響を発生させることができる。
【００７３】
一例によると、第1音響発生モジュールは、パネルの背面に付着して、パネルを振動させることで、パネルの前方（FD）に音響を出力することができる。ここで、ディスプレイパネルは、前述したように、一般的に、ガラスのような剛性の高い材料で構成され、したがって高い剛性により、低音領域の音を出力するには限界がある。したがって、第1音響発生モジュールは、高音域帯の音響（HFS）を発生させることができる。
【００７４】
一例によると、第2音響発生モジュールは、パネルの背面に離隔して配置され、第2音響発生モジュールの振動板の上側または下側を含む振動板周辺部の空気層を振動させることで音響を出力することができる。第2音響発生モジュールの振動板は、ディスプレイパネルに固定されず、ディスプレイパネルの剛性と関係なしに音響を出力することができる。したがって、第2音響発生モジュールは、第1音響発生モジュールが再生し難い低音域帯の音響（LFS）を発生させることができる。
【００７５】
第1音響発生モジュールは、アクチュエータであり、第2音響発生モジュールはウーファーであり得る。
【００７６】
一例によると、第1音響発生モジュールは、アクチュエータまたはエキサイターであり得るが、これに限定されず、電気的信号に基づいて音響を出力する音響機器であり得る。一例によると、第2音響発生モジュールは、ウーファー（Woofer）に該当し得るが、しかしこの用語に限定されず、振動板を振動させて音響を再生させるスピーカーモジュールであり得る。
【００７７】
第2音響発生モジュールは、ディスプレイパネルの背面に離隔して配置された振動板を含み、振動板は、第1音響発生ユニットと物理的に接触しないことがあり得る。
【００７８】
一例によると、第2音響発生モジュールの振動板は、振動板の上側または下側を含む振動板周辺部の空気層を振動させることで音響を出力することができ、これにより出力された音響は、低音域帯の音響を含むことができる。ここで、第1音響発生ユニットは、ディスプレイパネルの背面に付着して、パネルを振動させることができ、第1音響発生ユニットと第2音響発生ユニットは、異なる振動モードまたは異なる周波数で振動することができる。したがって、第2音響発生モジュールの振動板は、第1音響発生ユニットとの干渉を避けるために、互いに物理的に接触しないことがあり得、これにより、第2音響発生モジュールは、第1音響発生モジュールの振動に干渉されずに独立しで作動することができる。
【００７９】
一例によると、第1音響発生モジュールは、第1音域帯の音響を出力し、第2音響発生モジュールは、第2音域帯の音響を出力することができ、第1音域帯の音響は、第2音域帯の音響より高音域帯の音響であり得る。したがって、第1音響発生モジュール及び第2音響発生モジュールのそれぞれは、互いに異なる振動信号を受信して独立して駆動することができ、これにより、本出願の一例によるディスプレイ装置は、第1音響発生モジュール及び第2音響発生モジュールを個別に制御する第1音響発生モジュール駆動部及び第2音響発生駆動部を含むことができる。
【００８０】
図7a〜図7bは、音響発生装置の実施例に係る平面図と側面図および背面図である。背面カバー３００から脱着した音響発生装置では、図7aに示すように上面においてディスプレイパネル１００と直接接触または振動して高音域帯の音響（HFS）を出力する第1音響発生モジュールのボビンリング２１４aが、音響発生装置の中央に配置されている。そして、ディスプレイパネル１００と離隔して配置されて低音域帯の音響（LFS）を作る第2音響発生モジュールの振動板２１４b及び第2ダンパー２１５bが第1音響発生モジュールのボビンリング２１４aを囲むように配置されている。音響発生装置は、四角形態のスピーカーボックス４００の内側に結合した形態でモジュール化し得る。スピーカーボックス４００の形状が、これに限定されるものではない。音響発生装置に隣接した領域のスピーカーボックス４００に第2音響発生モジュールで生成された低音域帯の音響（LFS）の音が抜けていくための通気孔４１０を配置することができる。通気孔４１０は、低音域帯の音響（LFS）の音響特性を考慮して、多様な形で、様々な位置に配置することができる。側面図を参照すると、スピーカーボックス４００の表面上にディスプレイパネル１００と接触するためのボビンリング２１４aと振動板２１４bなどが突出したことを確認することができる。背面図を参照すると、スピーカーボックス４００に結合した音響発生装置の下部フレーム２１６aが露出し得る。また、前面図に配置された低音域帯の音響（LFS）の音が抜けていくための通気孔４１０をスピーカーボックス４００の背面にも配置することができ、スピーカーボックス４００をディスプレイパネル１００の背面カバー３００に固定するための溝部４２０を配置することができる。
【００８１】
図8は、本出願の他の例に係るディスプレイ装置の斜視図であり、図9は、本出願の他の例に係るディスプレイ装置の音響出力を示す図である。
【００８２】
図8〜図9を参照すると、本出願の他の例に係るディスプレイ装置は、映像を表示するディスプレイパネル１００、ディスプレイパネルの背面を支持する背面カバー３００、ディスプレイパネル１００と背面カバー３００の間に第1音響発生装置２１０、第2音響発生装置２２０、第3音響発生装置２３０、第4音響発生装置２４０、及び第5音響発生装置２５０を配置することができる。第1および第2音響発生装置は、下部領域に配置され得、ディスプレイパネルの背面に付着する第1音響発生モジュール、およびディスプレイパネルの背面から離隔して配置される第2音響発生モジュールを含み、第3〜第5音響発生装置は、ディスプレイパネルの上部領域に配置され得、ディスプレイパネルの背面を直接振動させるアクチュエータであり得る。
【００８３】
本出願の他の例に係るディスプレイ装置は、5.1チャンネルの音響特性を有することができる。一例によると、本出願によるディスプレイパネル１００は、前方に5つの領域でそれぞれ独立して制御される高音域帯の音響（HFS）を出力することができ、ディスプレイパネル１００の後方に2つの領域で低音域帯の音響（LFS）を出力することができる。
【００８４】
図10a〜図10gは、本出願の他の例に係るディスプレイ装置の背面図である。ディスプレイパネル１００は、下部右側領域（LRA）、下部左側領域（LLA）、上部中央領域（UCA）、上部右側領域（URA）および上部左側領域（ULA）に分けるパーティション部材６００および下部右側領域（LRA）、下部左側領域（LLA）、上部中央領域（UCA）、上部右側領域（URA）および上部左側領域（ULA）のそれぞれに配置される第1音響発生装置２１０、第2音響発生装置２２０、第3音響発生装置２３０、第4音響発生装置２４０、及び第5音響発生装置２５０を含むことができる。パーティション部材６００は、ディスプレイパネル１００と背面カバー３００の間に介在することができる。一例によると、パーティション部材６００は、第1音響発生装置および第2音響発生装置のそれぞれを囲むことができ、パーティション部材６００は、第1音響発生装置２１０、第2音響発生装置２２０、第3音響発生装置２３０、第4音響発生装置２４０、及び第5音響発生装置２５０のそれぞれが配置された領域を分割することができる。ここで、第1〜第5音響発生装置は、それぞれが配置された領域を独立して振動させ、パーティション部材６００によって隣接した領域または音響発生装置の干渉を防止することができる。したがって、パーティション部材６００は、ディスプレイパネル１００の下部右側領域（LRA）、下部左側領域（LLA）、上部中央領域（UCA）、上部右側領域（URA）および上部左側領域（ULA）のそれぞれで発生した音響間の干渉を防止することができる。パーティション部材６００は、第1〜第8パーティション部材６１０、６２０、６３０、６４０、６５０、６６０、６７０、６８０を含むことができ、第1〜第8パーティション部材６１０、６２０、６３０、６４０、６５０、６６０、６７０、６８０は、ディスプレイパネルを下部右側領域（LRA）、下部左側領域（LLA）、上部中央領域（UCA）、上部右側の領域（URA）および上部左側領域（ULA）をそれぞれ囲む構造で形成することができる。
【００８５】
第2パーティション部材６２０、第3パーティション部材６３０、第5パーティション部材６５０、及び第8パーティション部材６８０は、第1音響発生装置で発生する音響が出力するディスプレイパネルの領域を定義することができ、第2パーティション部材６２０、第3パーティション部材６３０、第4パーティション部材６４０、及び第8パーティション部材６８０は、第2音響発生装置で発生する音響が出力するディスプレイパネルの領域を定義することができる。第1パーティション部材６１０、第2パーティション部材６２０、第6パーティション部材６６０、及び第7パーティション部材６７０は、第3音響発生装置で発生する音響が出力するディスプレイパネルの領域を定義することができる。第1パーティション部材６１０、第2パーティション部材６２０、第5パーティション部材６５０及び第7パーティション部材６７０は、第4音響発生装置で発生する音響が出力するディスプレイパネルの領域を定義することができる。第1パーティション部材６１０、第2パーティション部材６２０、第4パーティション部材６４０、及び第6パーティション部材６６０は、第5音響発生装置で発生する音響が出力するディスプレイパネルの領域を定義することができる。音響発生装置によってディスプレイパネル１００が振動して発生する音波は、音響発生装置の中央から放射状に広がりながら進行する。この音波を進行波（progressive wave）とすることができる。この進行波がパーティション部材６００の一辺で出会うと、パーティション部材６００で反射して、進行波と逆方向に進行する反射波（reflected wave）を形成することになる。この反射波は、進行波と重畳および干渉して、重畳した音波が進行できないで一定の位置に停滞している定在波（standing wave）を形成することになる。この定在波によって音圧が減少して音響出力特性が悪くなり得る。したがって、反射波と進行波の干渉によって発生する定在波による音圧の減少を減らすために、パーティション部材６００にベント部を形成することができる。また、音圧の減少を励起する定在波は進行波と反射波の大きさが大きな地点で多く発生する。したがって、ベント部は音響発生装置から到達する音波が最も大きい位置に配置することができる。図10a〜図10gを参照すると、様々な形態のベント部が第1音響発生装置２１０から第5音響発生装置２５０に配置された場合を確認することができる。例えば、高音域帯の音響（HFS）を生成する第3音響発生装置２３０、第4音響発生装置２４０及び第5音響発生装置２５０を囲むパーティション部材６００には、音響発生装置の中心に整列するようにベント部を垂直に配置することができる。また、高音域帯の音響（HFS）と低音域帯の音響（LFS）を同時に生成する第1音響発生装置２１０と第2音響発生装置２１０にも、音響発生装置を囲むパーティション部材６００に音響発生装置の中心に垂直に整列されるベント部を配置することができる。このような音響的性能のために音響発生装置を構成する多数のエキサイターは、それぞれ一定の厚さ以上の厚みを有しなければならないが、これはディスプレイパネル背面のクリーンバック（Clean Back）デザインを妨害する要素になり得る。十分な音響出力のために使用されるエキサイターの平均厚さは約16mm程度であり���るが、このような音響発生装置をディスプレイパネルの上部左側領域（ULA）および上部右側の領域（URA）などに配置すると、最終ディスプレイ製品の背面の外観が音響発生装置の厚さ分だけでこぼこになり得る。製品背面をなめらかなクリーンバック（Clean Back）にするために、上部中央領域（UCA）および上部左側および右側の領域（ULA、URA）に配置するエキサイターは、相対的に薄い厚さを有する製品を配置することができる。厚さが約3mm程度の薄い製品を配置することができ、薄くなったエキサイター厚による音響出力の低下を補完することができるよう、少なくとも二つのエキサイターを隣接するようにくっつけて配置することができる。図10a〜図10gに記載しなかったが、上部中央領域（UCA）、上部左側領域（ULA）、上部右側領域（URA）に配置された第3音響発生装置２３０、第4音響発生装置２４０ 、第5音響発生装置２５０は、最終ディスプレイ製品の背面外観のクリーンバック（Clean Back）デザインのために、厚さが薄いエキサイターを少なくとも2つずつ配置することができる。図10a〜図10cを参照すると、ディスプレイパネル１００の背面のうち、上部中央領域（UCA）に配置された第3音響発生装置２３０が、隣接する上部右側領域（URA）と上部左側領域（ULA）にそれぞれ配置された第4音響発生装置２４０と第5音響発生装置２５０に対して水平方向に同一線上に配置されていることが分かる。しかし、図10d〜図10gを参照すると、ディスプレイパネル１００の背面のうち、上部中央領域（UCA）に配置された第3音響発生装置２３０が、隣接する第4音響発生装置２４０と第5音響発生装置２５０に対して水平方向に同一線上に整列されずに、中心線が離隔して配置されたことを知ることができる。このような離隔配置により、ディスプレイパネル１００の両側面から第4音響発生装置２４０及び第5音響発生装置２５０が発生させる音響とディスプレイパネル１００の上部中央（UCA）で第3音響発生装置２３０が発生させる音響の進行方向が異なるようにすることができる。例えば、ディスプレイパネルの上部中間領域（UCA）に配置された第3音響発生装置２３０が、第4、第5音響発生装置２４０、２５０の配置基準線よりも下側に配置されると、第3音響発生装置２３０と第4、第5音響発生装置の間の相互作用により、第4、第5音響発生装置で発生する音響がディスプレイパネル１００の前面部の左右方向に広がり、第3音響発生装置で発生する音響がディスプレイパネル１００の前面部の中下方向に広がって、全体的な音響がサラウンド（Surround）立体音響効果を有することができる。
【００８６】
図11〜図12を参照すると、本出願の他の例に係るディスプレイ装置は、映像を表示するディスプレイパネル１００、ディスプレイパネルの背面を支持する背面カバー３００、ディスプレイパネル１００および背面カバー３００の間に第1音響発生装置２１０、第2音響発生装置２２０、第3音響発生装置２３０、第4音響発生装置２４０、及び第5音響発生装置２５０を配置することができる。第1、第2、及び第3音響発生装置は、ディスプレイパネルの下部領域に配置され得る。第1および第2音響発生装置は、ディスプレイパネルの背面に付着する第1音響発生モジュール、およびディスプレイパネルの背面から離隔して配置される第2音響発生モジュールを含み、第4〜第5音響発生装置は、ディスプレイパネルの上部領域に配置され得、ディスプレイパネルの背面を直接振動させるアクチュエータであり得る。
【００８７】
本出願の他の例に係るディスプレイ装置は、5.1チャンネルの音響特性を有することができる。一例によると、本出願によるディスプレイパネル１００は、前方に5つの領域でそれぞれ独立して制御される高音域帯の音響（HFS）を出力することができ、ディスプレイパネル１００の後方に2つの領域で低音域帯の音響（LFS）を出力することができる。
【００８８】
図13a〜図13iは、本出願の他の例に係るディスプレイ装置の背面図である。ディスプレイパネル１００を下部右側領域（LRA）、下部左側領域（LLA）、下部中央領域（LCA）、上部右側の領域（URA）および上部左側領域（ULA）に分けるパーティション部材６００および下部右側領域（LRA）、下部左側領域（LLA）、下部中央領域（LCA）、上部右側領域（URA）および上部左側領域（ULA）のそれぞれに配置される第1音響発生装置２１０、第2音響発生装置２２０、第3音響発生装置２３０、第4音響発生装置２４０、及び第5音響発生装置２５０を含むことができる。パーティション部材６００は、ディスプレイパネル１００と背面カバー３００の間に介在し得る。一例によると、パーティション部材６００は、第1音響発生装置および第2音響発生装置のそれぞれを囲むことができ、パーティション部材６００は、第1音響発生装置２１０、第2音響発生装置２２０、第3音響発生装置２３０、第4音響発生装置２４０、及び第5音響発生装置２５０のそれぞれが配置された領域を分割することができる。ここで、第1〜第5音響発生装置は、それぞれが配置された領域を独立して振動させ、パーティション部材６００によって隣接した領域または音響発生装置の干渉を防止することができる。したがって、パーティション部材６００は、ディスプレイパネル１００の下部右側領域（LRA）、下部左側領域（LLA）、下部中央領域（LCA）、上部右側の領域（URA）および上部左側領域（ULA）のそれぞれで発生した音響間の干渉を防止することができる。パーティション部材６００は、第1〜第9パーティション部材６１０、６２０、６３０、６４０、６５０、６６０、６７０、６８０、６９０を含むことができ、第1〜第9パーティション部材６１０、６２０、６３０、６４０、６５０、６６０、６７０、６８０、６９０は、ディスプレイパネルを下部右側領域（LRA）、下部左側領域（LLA）、上部中央領域（UCA）、上部右側の領域（URA）および上部左側領域（ULA）をそれぞれ囲む構造で形成することができる。第2パーティション部材６２０、第3パーティション部材６３０、第5パーティション部材６５０及び第9パーティション部材６９０は、第1音響発生装置で発生する音響が出力するディスプレイパネルの領域を定義することができ、第2パーティション部材６２０、第3パーティション部材６３０、第4パーティション部材６４０及び第8パーティション部材６８０は、第2音響発生装置で発生する音響が出力するディスプレイパネルの領域を定義することができる。第2パーティション部材６２０、第3パーティション部材６３０、第8パーティション部材６８０、及び第9パーティション部材６９０は、第3音響発生装置で発生する音響が出力するディスプレイパネルの領域を定義することができる。第1パーティション部材６１０、第2パーティション部材６２０、第5パーティション部材６５０及び第7パーティション部材６７０は、第4音響発生装置で発生する音響が出力するディスプレイパネルの領域を定義することができる。第1パーティション部材６１０、第2パーティション部材６２０、第4パーティション部材６４０、及び第6パーティション部材６６０は、第5音響発生装置で発生する音響が出力するディスプレイパネルの領域を定義することができる。先に図10a〜図10gで説明��たように、定在波の発生原理は省略することにする。反射波と進行波の干渉によって発生する定在波による音圧の減少を減らすために、パーティション部材６００にベント部を形成することができる。また、音圧の減少を励起する定在波は進行波と反射波の大きさが大きな地点で多く発生する。したがって、ベント部は音響発生装置から到達する音波が最も大きな位置に配置することができる。図13a〜図13iを参照すると、多様な形態のベント部が第1音響発生装置２１０で第5音響発生装置２５０に配置された場合を確認することができる。例えば、高音域帯の音響（HFS）を生成する第3音響発生装置２３０、第4音響発生装置２４０及び第5音響発生装置２５０を囲むパーティション部材６００には、音響発生装置の中心に整列するようにベント部を垂直に配置することができる。また、高音域帯の音響（HFS）と低音域帯の音響（LFS）を同時に生成する第1音響発生装置２１０と第2音響発生装置２２０にも音響発生装置を囲むパーティション部材６００に音響発生装置の中心に垂直に整列するベント部を配置することができる。図13a〜図13iに記載しなかったが、上部左側領域（ULA）、上部右側領域（URA）に配置された第4音響発生装置２４０、第5音響発生装置２５０は、最終ディスプレイ製品の背面外観のクリーンバック（Clean Back）デザインのために、厚さが薄いエキサイターを少なくとも2つずつ配置することができる。これに対する説明は、先に図10で記載したので省略することができる。図13a〜図13eを参照すると、ディスプレイパネル１００の背面のうち、下部中央領域（LCA）に配置された第3音響発生装置２３０が、隣接する下部右側領域（LRA）と下部左側領域（LLA）にそれぞれ配置された第1音響発生装置２１０と第2音響発生装置２２０に対して水平方向に同一線上に整列されていることが分かる。しかし、図13f〜図13iを参照すると、ディスプレイパネル１００の背面のうち、下部中央領域（LCA）に配置された第3音響発生装置２３０が、隣接する第1音響発生装置２１０と第2音響発生装置２２０に対して水平方向に同一線上に整列されずに、中心線が離隔して配置され得る。このような離隔配置により、ディスプレイパネル１００の両側面で第1音響発生装置２１０及び第2音響発生装置２２０が発生させる音響とディスプレイパネル１００の下部中間領域（LCA）で第3音響発生装置２３０が発生させる音響の進行方向が異なり得る。例えば、ディスプレイパネルの下部中間領域（LCA）に配置された第3音響発生装置２３０が、第1、第2音響発生装置２１０、２２０の整列基準線よりも上側に配置されると、第3音響発生装置２３０と、第1、第2音響発生装置２１０、２２０間の相互作用により、第1、第2音響発生装置２１０、２２０で発生する音響がディスプレイパネル１００の前面部の左右方向に広がり、第3音響発生装置で発生する音響がディスプレイパネル１００の前面部の中下方向に広がって、全体的な音響がサラウンド立体音響効果を有することができる。
【００８９】
図14aは、図10aの切断線I-I’に沿って切断した断面図である。
【００９０】
図14aを参照すると、第3〜第5音響発生装置がディスプレイパネル１００に付着して、ディスプレイパネルを直接振動させて高音域帯の音響を発生させるエキサイターであり得る。前述したように、第3〜第5音響発生装置２３０、２４０、２５０は、それぞれディスプレイパネルの上部中央領域（UCA）、上部右側領域（URA）、上部左側領域（ULA）に対応し、上部中央領域（UCA）、上部右側領域（URA）、上部左側領域（ULA）にそれぞれ独立した高音域帯の音響を出力することができる。背面カバー３００は、該当エキサイターとディスプレイパネル１００の側面を支持しており、ディスプレイパネル１００の外郭に配置されたパーティション部材６４０、６５０と階段形態を有する背面カバー３００の接合または結合で上部右側領域（URA）と上部左側領域（ULA）が完全に密封されて独立した音響を出力することができる。
【００９１】
図14bは、図13aの切断線II-II’に沿って切断した断面図である。
【００９２】
図14bを参照すると、第1〜第3音響発生装置は、ディスプレイパネル１００に付着して、ディスプレイパネルを直接振動させて高音域帯の音響を発生させるエキサイターを含み、第1〜第2音響発生装置は、ディスプレイパネル１００と離隔して低音域帯の音響を発生させるウーファー（Woofer）をさらに含むハイブリッド型であり得る。前述したように、第1〜第3音響発生装置２１０、２２０、２３０は、それぞれディスプレイパネルの下部右側領域（LRA）、下部中央領域（LCA）、下部左側領域（LLA）に対応することができる。下部右側領域（LRA）と下部左側領域（LLA）には、ハイブリッド型のエキサイターが配置されて高音域帯と低音域を出力することができ、下部中央領域（LCA）には、エキサイターが配置されて高音域帯の音響を出力することができる。低音帯域を出力するウーファー（Woofer）の側面に低音性能を向上させるスピーカーボックス４００を結合することができる。背面カバー３００は、エキサイターとディスプレイパネル１００の側面を支持しており、ディスプレイパネル１００の外郭に配置されたパーティション部材６４０、６５０と階段形態を有する背面カバー３００の接合または結合によって下部右側領域（LRA）と下部左側領域（LLA）が完全に密封されて独立した音響を出力することができる。
【００９３】
図15a及び図15bは、一例による音響発生装置の断面図である。
【００９４】
音響発生装置は、マグネットがコイルの外側に配置される第1構造と、マグネットがコイルの内側に配置される第2構造に分類することができる。第1構造は、ダイナミック型または外磁型（External Magnetic Type）で表現することができ、第2構造は、マイクロタイプまたは内磁型（Internal Magnetic Type）で表現され得る。
【００９５】
図15aは、第1構造を示したものであり、図15bは、第2構造を示したものである。
【００９６】
図15aを参照すると、音響発生装置２３０は、第1プレート２３２、第1プレート２３２上にあるマグネット２３１、プレート上にあるセンターポール２３３、センターポール２３３の周囲に配置されているボビン２３４、およびボビン２３４外郭に巻かれているコイル２３５などを含むことができる。例えば、第1プレート２３２上にマグネット２３１があり、マグネット２３１上に第2プレート２３６が備えられる。第1プレート２３２と第2プレート２３６は、マグネット２３１を支持しながら音響発生装置２３０を背面カバー３００に固定させることができる。したがって、第1プレート２３２は、背面カバー３００に形成される支持ホールに固定することができ、第1プレート２３２と第2プレート２３６の間に位置するマグネット２３１を固定したり支持したりすることができる。
【００９７】
第1プレート２３２及び第2プレート２３６のうちの少なくとも一つは、鉄（Fe）のように磁性を有する物質からなり得る。プレートは、この用語に限定されるものではなく、ヨークなどの他の用語で表現することもできる。マグネット２３１は、バリウムフェライトなどの焼結磁石を利用することができ、材質は三酸化二鉄（Fe2O3）、炭酸バリウム（BaCO3）、ネオジム磁石、磁力成分が改善されたストロンチウムフェライト、アルミニウム（Al）、ニッケル（Ni）、コバルト（Co）の合金鋳造磁石などを使用することができ、これに限定されない。ネオジム磁石は、例えば、ネオジム-鉄-ホウ素（Nd-FeB）であり得る。
【００９８】
第1プレート２３２の外郭にあり、第2プレート２３６上にはフレーム２３７が配置される。第1プレート２３２の中央領域には、センターポール２３３が配置される。センターポール２３３は、ポールピース（pole pieces）とすることもできる。また、センターポール２３３と、第1プレート２３２は、一体に形成することもできる。
【００９９】
そして、センターポール２３３の周囲を包むボビン２３４が配置される。ボビン２３４の下側部周辺にはコイル２３５が巻かれていて、このコイル２３５に音響発生のための電流が印加される。ボビン２３４は、紙またはアルミシートなどで形成される環状構造であり得、ボビン２３４の下側の一定領域の周囲にコイル２３５が巻かれる。ボビン２３４とコイル２３５を合わせてボイスコイルと表現することもできる。そして、ボビン２３４の上側の一部とフレーム２３７の間には、ダンパー２３８を配置することができる。ダンパーは、エッジなどの他の用語で表現することもできる。
【０１００】
図15bは、マグネットがコイルの内側に配置される第2構造を示した図である。
【０１０１】
図15bを参照すると、音響発生装置２３０は、第1プレート２３２上にあるマグネット２３１、マグネット２３１上にあるセンターポール２３３、マグネット２３１とセンターポール２３３の周囲に配置されるボビン２３４、およびボビン２３４外郭に巻かれているコイル２３５などを含むことができる。
【０１０２】
例えば、第1プレート２３２は、背面カバー３００に形成されている支持孔に固定することができる。第1プレート２３２の上にマグネット２３１が配置され、マグネット２３１上にセンターポール２３３が配置される。マグネット２３１とセンターポール２３３の周囲を囲むようにボビン２３４が配置され、ボビン２３４外郭にコイル２３５が巻かれる。
【０１０３】
第2プレート２３６は、第1プレート２３２の外郭周辺に配置され、第2プレート２３６の外側には、フレーム２３７が配置される。そして、フレーム２３７とボビンの間には、ダンパー２３８が配置される。第2構造の音響発生装置は、マグネットが外側に配置される第1構造に比べて漏洩磁束が小さく、全体的な大きさを小さくすることができる利点がある。
【０１０４】
第3〜第5音響発生装置は、図15a及び図15bに示した構造に限定されるものではなく、ディスプレイパネルを振動させて音響を発生することができる他の種類の音響発生装置を使用することもできる。
【０１０５】
図16a〜図16bは、本出願の他の例に係るディスプレイ装置の背面斜視図である。
【０１０６】
図16aを参照すると、第1音響発生装置および第2音響発生装置は、低音音感を向上させるために、スピーカーボックスに低音反射ダクト４４０が形成された形態で第1音響発生装置および第2音響発生装置と結合することができる。第2音響発生装置の振動板で発生した低音は、第1エアギャップ（AG1）、第2エアギャップ（AG2）およびスピーカーボックス４００内で反射した後、低音反射ダクトを介して伝達され得るので、追加的な低音の良好な再生が可能であり得る。
【０１０７】
図16bを参照すると、図16aとは異なり、第3音響発生装置が下部領域の第1音響発生装置と第2音響発生装置の間に配置され得る。このような配置は、一般的な高音域帯の音響を第1、第2、第4、第5音響発生装置２１０、２２０、２４０、２５０で出力して、低音域帯音響を第1〜第2音響発生装置２１０、２２０で出力するように構成することができる。ここで、第3音響発生装置２３０は、画面の重要な音響や主人公の声を表現するように活用して、視聴者がより画面に没頭することができる利点がある。
【０１０８】
図17は、本出願の一例によるディスプレイ装置の音圧特性を示したグラフである。図17の実線で示されているのは、本出願の一例による低音域帯の音響出力特性が改善された第1音響発生モジュール及び第2音響発生モジュールを含むハイブリッド音響発生装置（Hybrid Sound Generating Module）の音圧特性を示したものであり、図17の点線で示されているのは、ディスプレイパネルを直接振動させて音響を発生させる一般的な音響発生装置（Normal Sound Generating Module）の音圧特性を示したものである。図17で、横軸は周波数（Hz）を示し、縦軸は音圧（SPL（Sound Pressure Level,dB）を示す。
【０１０９】
図17を参照すると、ハイブリッド音響発生装置と一般的な音響発生装置は、200Hz以上の中高音域帯の音圧の特性は類似なのに対し、200Hz未満の低音域帯の音圧特性はハイブリッド音響発生装置が一般的な音響発生装置より顕著に高いことが分かる。特に、100Hzで測定された音圧特性では、ハイブリッド音響発生装置は、一般音響発生装置の最大音圧である60dBよりもdだけ高い数値を示したことを知ることができ、ここで、dは例えば、約15dBであることが分かる。
【０１１０】
本明細書の実施例に係るディスプレイ装置は、液晶ディスプレイ装置（Liquid Crystal Display device：LCD）、電界放出ディスプレイ装置（Field Emission Display device：FED）、有機発光ディスプレイ装置（Organic Light Emitting Display Device： OLED）、量子ドットディスプレイ装置（Quantum Dot Display Device）を含むことができる。
【０１１１】
本明細書の実施例に係るディスプレイ装置は、LCM、OLEDモジュールなどを含む完成品（complete productまたはfinal product）であるノートパソコン、テレビ、コンピュータモニタ、自動車用ディスプレイまたは車両用の他の形態などを含む機器ディスプレイ、スマートフォンまたは電子パッドなどのモバイル電子機器などのセット電子装置（set electronic device）、またはセット装置（set deviceまたはset apparatus）も含むことができる。
【０１１２】
本明細書の実施例に係るディスプレイ装置は、以下のように説明することができる。
【０１１３】
本明細書のディスプレイ装置は、映像を表示するディスプレイパネル、ディスプレイパネルの背面に配置された音響発生装置、ディスプレイパネルの背面に配置されてディスプレイパネルを支持する背面カバーを含み、ディスプレイパネルの背面と背面カバーの間に配置されてディスプレイパネルを第1領域、第2領域、第3領域、第4領域、及び第5領域に区画するパーティション部材、背面カバーによって支持され、ディスプレイパネルの背面に付着してディスプレイパネルを振動させるように配置される第1音響発生装置、第2音響発生装置、第3音響発生装置、第4音響発生装置、及び第5音響発生装置を含み、第1音響発生装置、第2音響発生装置、第3音響発生装置、第4音響発生装置、及び第5音響発生装置は、第1領域、第2領域、第3領域、第4領域、及び第5領域にそれぞれ配置され得る。
【０１１４】
本明細書のいくつかの実施例に係るディスプレイ装置では、音響発生装置が5.1チャネル形態の音響出力特性を有することができる。
【０１１５】
本明細書のいくつかの実施例に係るディスプレイ装置では、第1音響発生装置と第2音響発生装置は、ハイブリッドエキサイターを含み、第3音響発生装置、第4音響発生装置、第5音響発生装置はエキサイターを含むことができる。
【０１１６】
本明細書のいくつかの実施例に係るディスプレイ装置では、パーティション部材がベント部を含み、第1音響発生装置と第2音響発生装置は、ベント部に垂直方向に整列され得る。
【０１１７】
本明細書のいくつかの実施例に係るディスプレイ装置では、第1領域と第2領域は、ディスプレイパネルの下部にあり、第3領域、第4領域と第5領域は、第1領域と第2領域の上の表示パネルの上部に配置され得る。
【０１１８】
本明細書のいくつかの実施例に係るディスプレイ装置では、第3音響発生装置、第4音響発生装置、及び第5音響発生装置は、水平方向に整列され得る。
【０１１９】
本明細書のいくつかの実施例に係るディスプレイ装置では、第4音響発生装置と第5音響発生装置は、第1水平方向に整列されていて、第3音響発生装置は、第1水平方向の基準線から離隔して配置され得る。
【０１２０】
本明細書のいくつかの実施例に係るディスプレイ装置では、第1音響発生装置、第2音響発生装置および第3音響発生装置は、ディスプレイパネルの下部にあり、第4音響発生装置と第5音響発生装置は、第1音響発生装置、第2音響発生装置および第3音響発生装置の上側のディスプレイパネルの上部に配置され得る。
【０１２１】
本明細書のいくつかの実施例に係るディスプレイ装置では、第1音響発生装置と第2音響発生装置は、ハイブリッドエキサイターを含み、第3音響発生装置、第4音響発生装置、第5音響発生装置はエキサイターを含むことができる。
【０１２２】
本明細書のいくつかの実施例に係るディスプレイ装置では、第3音響発生装置は、人の声を伝達するエキサイターを含み、第4音響発生装置と第5音響発生装置は、事物の音を伝達するエキサイターを含むことができる。
【０１２３】
本明細書のディスプレイ装置は、映像を表示するディスプレイパネル、ディスプレイパネルの背面に配置された音響発生装置、ディスプレイパネルの背面に配置されてディスプレイパネルを支持する背面カバーを含み、ディスプレイパネルの背面と背面カバーの間に配置されてディスプレイパネルを第1領域、第2領域、第3領域、第4領域、及び第5領域に区画するパーティション部材、ディスプレイパネルの背面に付着する第1音響発生モジュール、およびディスプレイパネルの背面から離隔して配置される第2音響発生モジュールを含み、第1音響発生モジュールと第2音響発生モジュールを収容することができるフレームを含むことができる。
【０１２４】
本明細書のいくつかの実施例に係るディスプレイ装置は、フレームを収容するスピーカーボックスをさらに含むことができる。
【０１２５】
本明細書のいくつかの実施例に係るディスプレイ装置では、スピーカーボックスが、第1領域と第2領域にあり得る。
【０１２６】
本明細書のいくつかの実施例に係るディスプレイ装置では、第1領域と第2領域を区分するパーティション部材が、第1音響発生モジュールと、第2音響発生モジュールに向かって少なくとも一つの面が曲がったベント部を含むことができる。
【０１２７】
本明細書のいくつかの実施例に係るディスプレイ装置では、第1領域と第2領域には、第1音響発生モジュールと、第2音響発生モジュールを収容するフレームがそれぞれ配置されていて、第3領域、第4領域、及び第5領域に配置された第3音響発生モジュールをさらに含むことができる。
【０１２８】
本明細書のいくつかの実施例に係るディスプレイ装置では、第1領域と第2領域は、ディスプレイパネルの下部にあり、第3領域、第4領域および第5領域は、第1領域と第2領域の上の前記ディスプレイパネルの上部に配置され得る。
【０１２９】
本明細書のいくつかの実施例に係るディスプレイ装置では、第1領域、第2領域及び第3領域が、ディスプレイパネルの下部にあり、第4領域と第5領域は、第1領域、第2領域、及び第3領域の上のディスプレイパネルの上部に配置され得る。
【０１３０】
本明細書のいくつかの実施例に係るディスプレイ装置では、第1領域と第2領域に配置されたフレームと、第3領域に配置された第3音響発生モジュールは、同じ水平方向の延長線を基準に整列され得る。
【０１３１】
本明細書のいくつかの実施例に係るディスプレイ装置では、第1領域と第2領域に配置されたフレームは、水平方向に整列されていて、第3領域に配置された第3音響発生モジュールは、水平方向の延長線から一定の距離、離隔して配置され得る。
【０１３２】
本明細書のいくつかの実施例に係るディスプレイ装置では、第1音響発生モジュールと、第2音響発生モジュールは、ベント部の先端に垂直整列されるように配置され得る。
【０１３３】
以上、添付した図を参照して、本発明の実施例をさらに詳細に説明したが、本発明は、必ずしもこのような実施例に限定されるものではなく、本発明の技術思想を逸脱しない範囲内で多様に変形実施することができる。したがって、本発明に開示された実施例は、本発明の技術思想を限定するためのものではなく説明するためのものであり、このような実施例により、本発明の技術思想の範囲が限定されるものではない。従って、以上で記述した実施例は、すべての面で例示的なものであり限定的ではないと理解されなければならない。本発明の保護範囲は、特許請求の範囲によって解釈されなければならず、それと同等の範囲内にあるすべての技術思想は、本発明の権利範囲に含まれるものと解釈されなければならない。
【符号の説明】
【０１３４】
１００：ディスプレイパネル
２１０：音響発生装置、第１音響発生装置
２２０：第２音響発生装置
２３０：第３音響発生装置
２４０：第４音響発生装置
２５０：第５音響発生装置
３００：背面カバー
４００：スピーカーボックス
６００：パーティション部材
【図１】
2020048194.tif 000003
【図２】
2020048194.tif 000004
【図３】
2020048194.tif 000005
【図４】
2020048194.tif 000006
【図５】
2020048194.tif 000007
【図６ａ】
2020048194.tif 000008
【図６ｂ】
2020048194.tif 000009
【図６ｃ】
2020048194.tif 000010
【図６ｄ】
2020048194.tif 000011
【図７ａ】
2020048194.tif 000012
【図７ｂ】
2020048194.tif 000013
【図８】
2020048194.tif 000014
【図９】
2020048194.tif 000015
【図１０ａ】
2020048194.tif 000016
【図１０ｂ】
2020048194.tif 000017
【図１０ｃ】
2020048194.tif 000018
【図１０ｄ】
2020048194.tif 000019
【図１０ｅ】
2020048194.tif 000020
【図１０ｆ】
2020048194.tif 000021
【図１０ｇ】
2020048194.tif 000022
【図１１】
2020048194.tif 000023
【図１２】
2020048194.tif 000024
【図１３ａ】
2020048194.tif 000025
【図１３ｂ】
2020048194.tif 000026
【図１３ｃ】
2020048194.tif 000027
【図１３ｄ】
2020048194.tif 000028
【図１３ｅ】
2020048194.tif 000029
【図１３ｆ】
2020048194.tif 000030
【図１３ｇ】
2020048194.tif 000031
【図１３ｈ】
2020048194.tif 000032
【図１３ｉ】
2020048194.tif 000033
【図１４ａ】
2020048194.tif 000034
【図１４ｂ】
2020048194.tif 000035
【図１５ａ】
2020048194.tif 000036
【図１５ｂ】
2020048194.tif 000037
【図１６ａ】
2020048194.tif 000038
【図１６ｂ】
2020048194.tif 000039
【図１７】
2020048194.tif 000040